(57)【要約】【課題】長い節電時間が確保できるだけでなく、必要な印刷物を必要とするときにまとめて得ることができる印刷装置を提供する。【解決手段】節電モード中、印刷ジョブを受信すると（ステップ４０５）、受信した印刷データから画像データを生成してページメモリ１６等に記憶し（ステップ４０６）、受信した印刷ジョブを表示する（ステップ４０７）処理を繰り返して、画像データをページメモリ１６等に蓄積する。節電解除コマンドが入力されれば、ＩＯＴ部４０に通常の電力供給を開始して復帰処理を行い（ステップ４１０）、優先処理された印刷ジョブがあれば（ステップ４１１）、指定された印刷ジョブの画像データをまとめて印刷する（ステップ４１２）。【選択図】  図５
2004284281.tif 000002
【特許請求の範囲】
【請求項１】
印刷ジョブに基づく印刷処理を実行する印刷部を有した印刷装置において、
前記印刷部の節電モード中に受信した前記印刷ジョブのデータを処理して印刷データを生成する印刷データ生成部と、
前記印刷データを格納する印刷データ格納部と、
前記節電モードの解除に基づいて前記印刷データ格納部に格納されている前記印刷データを前記印刷部に印刷させる制御部とを有することを特徴とする印刷装置。
【請求項２】
前記制御部は、複数の印刷ジョブに対する複数の印刷データを前記節電モードの解除に基づいて前記印刷データ格納部から出力させて前記印刷部に印刷させることを特徴とする請求項１記載の印刷装置。
【請求項３】
前記制御部は、前記節電モードの解除時に優先処理を指定された前記複数の印刷データを前記印刷部に印刷させることを特徴とする請求項２記載の印刷装置。
【請求項４】
前記制御部は、前記節電モードの解除時にユーザについて優先処理を指定された前記複数の印刷データを前記印刷部に印刷させることを特徴とする請求項２記載の印刷装置。
【請求項５】
前記制御部は、前記印刷ジョブのデータに付与された優先処理情報に基づいて前記節電モードを解除して前記印刷部に印刷処理を実行させることを特徴とする請求項１記載の印刷装置。
【請求項６】
前記制御部は、前記印刷データ格納部に貯えられた前記印刷データが一定量となったときに前記印刷部に印刷処理を実行させることを特徴とする請求項１記載の印刷装置。
【発明の詳細な説明】
【０００１】
【発明の属する技術分野】
本発明は、節電モードを備えた印刷装置に関し、特に節電効率の高い印刷装置に関する。
【０００２】
【従来の技術】
従来の節電モードを有する印刷装置は、ネットワークを介してユーザから印刷ジョブを受信するたびにプリントを行っており、節電モードに移行させることが難しい。例えば、１５分間使用されない場合節電モードに移行するプリンタに１０分間隔でプリントジョブが送られてくると１日中節電モードに移行することはない。
【０００３】
また、一旦節電モードになっても、ユーザから印刷ジョブを受信するたびに節電モードを解除してプリントを行っているので、節電モードを継続させることが難しい。例えば、先程のプリンタに１６分間隔でプリントジョブが送られてくると１６分間は印刷が行われないにもかかわらず１分しか節電できない。
【０００４】
このように、印刷装置には節電モードが用意されているのもかかわらず１日をトータルしてみると印刷装置の消費電力量はあまり低減されていないという問題があった。このような問題を解決して節電時間をできるだけ長くするための技術に関連する先行技術文献情報としては次のものがある。
【０００５】
【特許文献１】
特開２００２−８６８４６号公報
【０００６】
特許文献１では、節電状態でプリントジョブを受信した画像形成装置がジョブの受信通知を送信者の携帯電話に送信し、その携帯電話が画像形成装置に近づくと節電解除してプリントを行うことで、プリントジョブの送信者が画像形成装置に近づくまでは節電復帰しないので、節電時間を長く取ることができる画像形成システムが記載されている。
【０００７】
【発明が解決しようとする課題】
しかし、特許文献１の画像形成装置では、プリントジョブの受信を通知された携帯電話を携帯することが必要である。オフィスなどのＯＡ機器が集中している場所では別のＯＡ機器を使用する際に画像形成装置に無意識に近づいてしまうだけで節電が解除されてしまう。
【０００８】
また、プリントジョブを受信した画像形成装置が通常状態にあるときは、プリントジョブを受信するたびにプリントを行うため、節電状態に移行させることが難しいという問題は解決されない。さらに、節電が解除されてから各プリントジョブのプリントデータをページ単位で印刷データに生成し、生成が完了した後各ページの印刷データを用紙にプリントする処理を開始するため、印刷ページの多い印刷ジョブでは、節電が解除されてからプリントが始まるまでに時間がかかるので節電に移行するまでの時間が遅くなり、トータルで節電時間を長くする妨げになる。
【０００９】
また、印刷物によっては今すぐ欲しいものと、後でも良い、又は出力を中止したい印刷物があるにもかかわらず節電が解除されると一律に印刷物を出力してしまうという問題もある。
【００１０】
従って、本発明の目的は、長い節電時間が確保できるだけでなく、必要な印刷物を必要とするときにまとめて得ることができる印刷装置を提供することにある。
【００１１】
【課題を解決するための手段】
本発明は、上記の目的を達成するため、印刷ジョブに基づく印刷処理を実行する印刷部を有した印刷装置において、
前記印刷部の節電モード中に受信した前記印刷ジョブのデータを処理して印刷データを生成する印刷データ生成部と、
前記印刷データを格納する印刷データ格納部と、
前記節電モードの解除に基づいて前記印刷データ格納部に格納されている前記印刷データを前記印刷部に印刷させる制御部とを有することを特徴とする印刷装置を提供する。
【００１２】
このような構成によれば、節電モードであっても印刷データの生成が行われるので、節電モードの解除が要求されてから印刷が完了するまでの時間が早まり、ユーザを待たせることがない。また、印刷が早く完了するので、節電モードに移行する時間も早まり、結果として節電時間を長くできる。
【００１３】
【発明の実施の形態】
以下、図面に基づいて本発明の実施の形態を詳細に説明する。
【００１４】
図１は、本発明の第１の実施の形態に係る印刷装置４がネットワークを介して接続された印刷システム１の構成図である。
印刷システム１は、ネットワーク２に接続されたホストコンピュータ３Ａと、ホストコンピュータ３Ｂと、ホストコンピュータ３Ｃと、印刷装置４Ａと、印刷装置４Ｂと、印刷装置４Ｃ等から構成される。ホストコンピュータ３（ホストコンピュータ３Ａ、ホストコンピュータ３Ｂ、およびホストコンピュータ３Ｃのいずれか１台）は、ネットワーク２を介して印刷装置４（印刷装置４Ａ、印刷装置４Ｂ、印刷装置４Ｃのいずれか１台）に印刷データと印刷要求からなる印刷ジョブを送信する。
【００１５】
印刷装置４は、ネットワーク２を介してホストコンピュータ３から送信される印刷ジョブの印刷データと印刷要求に従ってコピー、スキャン、又はＦＡＸを実行する。印刷装置４は、コピー、スキャン、又はＦＡＸを実行することができる通常モードのほかに、後述の定着器等の設定温度を下げるなどの節電モードを備えている。
【００１６】
図２は、ネットワーク２に接続された印刷装置４のブロック構成図である。
印刷装置４は、制御部１０と、ＩＯＴ（Ｉｍａｇｅ  Ｏｕｔｐｕｔ  Ｔｅｒｍｉｎａｌ）部４０と、および操作パネル５０等より構成される。
【００１７】
制御部１０は、ＣＰＵ１１と、ＲＯＭ１３と、ＲＡＭ１５と、ハードディスク（ＨＤ）１７等で構成される。ＣＰＵ１１は、ＲＯＭ１３に格納されているジョブ受信部２１と、画像処理部２２と、スプーリング部２４と、スケジュール部２５と、タイマ２６と、プリンタ制御部２７と、節電制御部２８と、ビデオ部２９と、送受信部３０と、パネル制御部３１等を有し、制御プログラムに従って、ＩＯＴ部４０の各動作を統一的に制御して円滑なコピー動作を達成し、ＩＯＴ部４０の電力を制御して節電モードを実行する。
【００１８】
ジョブ受信部２１は、ホストコンピュータ３からネットワーク２および送受信部３０を介して受信される印刷ジョブを受信して登録する。画像処理部２２はデコンポーザ２３によって、印刷ジョブのデータを解釈して処理することによって各ページの印刷データを生成する。この印刷データとして、例えば、ワープロ文書等の文字、数字、記号といった文字データ、図形等の画像データがある。スプーリング部２４は、生成された印刷データをスプーリングする。スケジュール部２５は、印刷ジョブの有する出力の順位を表す優先度、又はユーザの行う優先処理指示に従い、優先処理として印刷ジョブの出力順位の設定および変更を行う。
【００１９】
タイマ２６は、節電に移行させる時間等をカウントする。プリンタ制御部２７は、ＩＯＴ部４０が印刷を行うように制御する。節電制御部２８は、タイマ２６に従ってＩＯＴ部４０の各部に供給する電力を制御して節電モードを実行する。ビデオ部２９は、各ページの画像データを画像信号としてＩＯＴ部４０に送る。
【００２０】
送受信部３０は、ネットワーク２を介してホストコンピュータ３から送信される印刷ジョブを受信し、ネットワーク２を介してホストコンピュータ３に印刷装置４の運転状況等を連絡する情報を送信する。パネル制御部３１は、操作パネル５０の液晶表示および各種キー入力の制御を行う。
【００２１】
ＲＡＭ１５には、デコンポーザ２３によって生成された印刷データを１ページ単位で記憶するページメモリ１６が構築される。また、後述の印刷ジョブキューの情報等を一時的に記憶する。ＨＤ（Ｈａｒｄ  Ｄｉｓｋ）１７は、ページメモリ１６に記録された画像データを蓄積する大容量の外部記憶装置である。
【００２２】
操作パネル５０は、印刷に必要な操作、例えば後述の節電解除等の各種キーを選択可能に表示するタッチパネル機能を備えた液晶表示部であり、画像表示された各種キーの部分に指で触れることによってキー操作を行うものである。
【００２３】
図３は、操作パネルを示す。
操作パネル５０は、受信した印刷ジョブを登録し、印刷ジョブキュー１００として表示画面５０Ａに表示する。
【００２４】
図４は、第１の実施の形態に係る印刷装置４の概略構成図である。
印刷装置４には、ＩＯＴ部４０と、矢印方向ａに回転可能に設置された感光体ドラム６１の周辺に、電子写真プロセスによる画像形成を行う帯電器６２と、レーザー走査光学系６３と、現像用トナーを収容した現像部６４と、転写部６５と、用紙分離部６６と、感光体ドラム６１上の残留トナーを排除するためのクリーニング部６７と、残留電荷除去のための除電器６８等が設けられ、印刷装置４の下部には、記録用紙を収容する給紙搬送部８１が設けられている。
【００２５】
走査光学系装置７０又はビデオ装置２９より入力された画像信号に基づき、レーザービーム走査光学系６３で画像信号に応じた光信号に変換し、帯電器６２で帯電された感光体ドラム６１上を露光することにより感光体ドラム６１上に静電潜像を形成した後、現像装置６４で現像されることにより、感光体ドラム６１上にトナー像が形成される。
【００２６】
記録用紙は、給紙搬送装置８１から給紙ローラ８２により給紙され、タイミングローラ８３で一旦停止した後、転写装置６５側に送り込まれ、感光体ドラム６１上のトナー像は、記録用紙に転写される。トナー像の転写された記録用紙は、分離装置６６を経た後、搬送ベルト８４にて定着器８５に搬送され、トナーが加熱定着された後、排出ロ−ラ８８から排出トレイ８９上に排出される。
【００２７】
定着器８５は、長手方向にヒータ８６が挿通されて温度を測定する温度センサ等の温度センサ８７が設けられた上側の定着ローラと下側の加圧ローラを備える。定着器８５をヒータ８６により所定の定着温度（約１６０度）に加熱し、トナー像を１対の定着ローラで挟持して高温で圧接し、トナー粒子をシートに溶融付着させる。節電モードでは、定着器８５を予熱モードにしたり、予熱をＯＦＦにして節電を行うものが多い。また、液晶パネルなどの表示装置を備えた操作パネル５０が設けられると共に、操作パネル５０の液晶表示および各種キー入力制御を行うパネル操作部５１が設けられている。
【００２８】
ＩＯＴ部４０とは、感光体ドラム６１と、帯電器６２と、レーザー走査光学系６３と、現像装置６４と、転写装置６５と、用紙分離装置６６と、クリーニング装置６７と、除電器６８と、搬送ベルト８４と、定着器８５と、ヒータ８６と、および温度センサ８７であり、走査光学系装置７０又はビデオ装置２９より入力された画像信号をレーザービーム走査光学系６３により光信号に変換して用紙上に画像を形成して定着させる機構である。
【００２９】
図５は、印刷装置４の動作を示すフローチャートである。
初めに、節電モード中に優先度の低い印刷ジョブをページメモリ１６等に蓄積する処理について説明する。印刷装置４は、通常モードにあるときは、印刷操作を行うが、印刷終了後に一定時間が経過しても印刷操作が行われないとき（ステップ４０１）、ＩＯＴ部４０に供給する電力を制限する節電モードに移行する（ステップ４０２）。優先度とは、印刷ジョブ毎に設けられた印刷を出力する優先順を表すものである。
【００３０】
節電モード中、ユーザから節電解除コマンドが入力されず（ステップ４０３）、操作パネル５０に表示される印刷ジョブキュー１００で優先処理の指定を行わない状態で（ステップ４０４）、印刷ジョブを受信すると（ステップ４０５）、その印刷ジョブのデータから印刷データを生成してページメモリ１６等に記憶し、（ステップ４０６）、操作パネル５０に表示される印刷ジョブキュー１００に新たに受信した印刷ジョブを表示する（ステップ４０７）。印刷ジョブの優先度が低いと（ステップ４０８）、ステップ４０１に戻る。
【００３１】
ステップ４０１において、節電モード中で（ステップ４０１）、節電解除コマンドが入力されず（ステップ４０３）、優先処理の指定を行わない状態が続けば（ステップ４０４）、ステップ４０５で次の印刷ジョブを受信し、その印刷ジョブのデータから印刷データを生成してページメモリ１６等に格納し（ステップ４０６）、印刷ジョブキュー１００に新たに受信した印刷ジョブを表示する（ステップ４０７）。このようにして印刷ジョブを受信する毎にそのデータから印刷データを生成してページメモリ１６等に蓄積する処理が繰り返される。
【００３２】
次に、節電解除コマンドによって節電状態を解除する処理について説明する。ステップ４０１、ステップ４０３、ステップ４０４、およびステップ４０５の処理を繰り返して印刷ジョブの受信等を待っているとき、又は、ステップ４０１、ステップ４０３、ステップ４０４、ステップ４０５、ステップ４０６、ステップ４０７およびステップ４０８の処理を繰り返して受信した印刷ジョブのデータを印刷データに生成してページメモリ１６等に蓄積しているときに、ステップ４０３でユーザが操作パネル５０上に画面表示される節電解除ボタンを指で操作することによって節電解除コマンドが入力されると、節電モード中なので（ステップ４０９）、ＩＯＴ部４０に通常の電力供給を開始して、印刷操作が行えるように復帰処理を行い（ステップ４１０）、優先処理された印刷ジョブがあれば（ステップ４１１）、指定された印刷ジョブの印刷データをまとめて印刷する（ステップ４１２）。
【００３３】
次に、節電モード中に節電状態を解除して所望の印刷ジョブを出力する処理について説明する。ステップ４０１、ステップ４０３、ステップ４０４、およびステップ４０５の処理を繰り返して印刷ジョブの受信等を待っているとき、又は、ステップ４０１、ステップ４０３、ステップ４０４、ステップ４０５、ステップ４０６、ステップ４０７およびステップ４０８の処理を繰り返して受信した印刷ジョブのデータから印刷データを生成してページメモリ１６等に蓄積しているときに、ユーザが、例えば、図３に示すように、操作パネル５０に表示された印刷ジョブキュー１００で所望の印刷ジョブを選択して優先処理を行うと（ステップ４０４）、節電モード中なので（ステップ４０９）、ＩＯＴ部４０に通常の電力供給を開始して、印刷操作が行えるように復帰処理を行い（ステップ４１０）、優先処理された印刷ジョブがあれば（ステップ４１１）、指定された印刷ジョブの印刷データをまとめて印刷する（ステップ４１２）。
【００３４】
次に、節電モード中に優先度の高い印刷ジョブを受信した場合の処理について説明する。印刷装置４は、通常モードにあるときは、印刷操作を行うが、印刷終了後に一定時間が経過しても印刷操作が行われないと（ステップ４０１）、ＩＯＴ部４０に供給する電力を制限する節電モードに移行する（ステップ４０２）。
【００３５】
節電モード中、ユーザから節電解除コマンドが入力されず（ステップ４０３）、操作パネル５０に表示された印刷ジョブキュー１００で優先処理の指定を行わない状態で（ステップ４０４）、印刷ジョブを受信すると（ステップ４０５）、受信した印刷ジョブのデータから印刷データを生成してページメモリ１６等に記憶して（ステップ４０６）、操作パネル５０に表示された印刷ジョブキュー１００に新たに受信した印刷ジョブを表示する（ステップ４０７）。
【００３６】
優先度が高い印刷ジョブを受信すると（ステップ４０８）、節電モードから（ステップ４０９）、ＩＯＴ部４０に通常の電力供給を開始して、印刷操作が行えるように復帰処理を行い（ステップ４１０）、優先処理された印刷ジョブがあれば（ステップ４１１）、指定された印刷ジョブの印刷データをまとめて印刷することができる（ステップ４１２）。
【００３７】
上記した第１の実施の形態によると、以下の効果が得られる。
（１）節電解除コマンドによって節電モード中に蓄積した印刷ジョブの中から優先処理が指定された印刷ジョブについてまとめて出力することができる。出力する印刷データはすでにページメモリ１６に蓄積されているので、ページメモリ１６の印刷データを用いて速やかに印刷を行うことができ、印刷時間を短くすることができる。
（２）優先度の低い印刷ジョブは、ユーザが印刷ジョブキュー１００から優先処理を指示して印刷するジョブが決定したときにはじめて節電状態から通常モードに移行して印刷を行うので、節電時間を長くすることができる。
（３）優先度の高いジョブを受信したときは、操作パネル等で節電解除入力を行わなくても節電状態から通常モードに移行して印刷を行うので、速やかに印刷を行うことができる。
【００３８】
なお、ステップ４１１の「優先処理された印刷ジョブがあれば」という処理を「印刷ジョブの優先度が所定の値以上の印刷ジョブがあれば」としても良い。また、通常モード中は、印刷ジョブの優先処理指定を行わなくとも、印刷ジョブキュー１００に従ってそれぞれの印刷ジョブの持つ優先度順に印刷物を出力するようにしても良い。
【００３９】
また、節電解除コマンドは、上記したように操作パネル５０上に設けられる節電解除ボタンの操作に基づいて入力されるものの他に、例えば、ホストコンピュータ３の操作画面（図示せず）上に表示し、この操作画面に対してユーザがマウスやキーボード等の入力部を操作することによって入力されるようにしても良い。
【００４０】
図６は、第２の実施の形態に係る印刷装置４の動作を示すフローチャートである。
第２の実施の形態は、図５のステップ４０６の処理にスプール満杯又はページメモリ満杯の場合の機能を付加したものである。
【００４１】
ステップ４０５で印刷ジョブを受信すると、スプール領域に空きがあるかを見る（ステップ６０１）。この場合、スプール領域としているのは印刷データを格納するページメモリ１６およびＨＤ１７の総容量のことである。スプール領域に空きがあれば、印刷データを生成してページメモリ１６等に格納する（ステップ６０２）。
【００４２】
次に、スプール数が最大値以下ならば（ステップ６０３）、ページメモリ１６が満杯かを確認する（ステップ６０４）。この場合、スプール数としているのは印刷ジョブの総数のことである。ページメモリ１６が満杯になれば、ＨＤ１７にページメモリ１６の印刷データを格納して（ステップ６０５）、ステップ４０８の処理に戻る。
【００４３】
ステップ６０１で、スプール領域に空きが無ければ、又はステップ６０３でスプール数が最大値を越えれば、ステップ４０９に戻り、節電モード中であれば、ＩＯＴ部４０に通常の電力供給を開始して、印刷操作が行えるように復帰処理を行い（ステップ４１０）、優先処理された印刷ジョブがあれば（ステップ４１１）、指定された印刷ジョブの印刷データをまとめて印刷する（ステップ４１２）。
【００４４】
上記した第２の実施の形態によると、スプールが満杯に近づいたら一定数以上の印刷ジョブを蓄積しない様にしている。また、優先度が低く、ある時間が経過しても優先処理されない印刷ジョブは不要な印刷ジョブとして削除を行い、不要なジョブがスプールに蓄積しない様にしても良い。このようにすれば、不要な印刷物を無駄に出力させないようにでき、節電時間を長くできる。
【００４５】
次に、印刷ジョブを出力させるための優先処理の指定の仕方について説明する。
【００４６】
図７は、第３の実施の形態に係る印刷装置４の優先処理を行う手順を示す図である。
図７（ａ）は、操作パネル５０に優先度の低い印刷ジョブが蓄積された状態を表示する印刷ジョブキューの例である。各印刷ジョブには、印刷ジョブ名と印刷ジョブを依頼したユーザ名とを合わせて生成された印刷データファイルの名称としたファイル名称、および印刷ジョブの状態が記載される。優先度の低い印刷ジョブは、印刷ジョブの状態が「処理待ち」となる。
【００４７】
図７（ｂ）のように、ユーザの指で出力させたい印刷ジョブを選択すると、ユーザに選択された印刷ジョブの表示が反転して、「処理待ち」から「優先処理」に変わる。
【００４８】
図７（ｃ）のように、優先処理になった印刷ジョブは印刷ジョブキューの先頭に移動する。次に出力したい印刷ジョブを同様にユーザの指で選択すると、ステップ４０４で優先処理の指定を受け付けて、ステップ４１１およびステップ４１２で優先指定された印刷ジョブが印刷され、図７（ｄ）のように、初めに選択した印刷ジョブが「印刷中」となる。その後選択した印刷ジョブの状態も「優先処理」となり、初めに選択した印刷ジョブの次の位置に移動する。印刷ジョブの状態が「優先処理」となっている印刷ジョブをもう一度ユーザの指で選択すると、印刷ジョブの状態が「処理待ち」に戻り、印刷ジョブキューの最後の位置に移動する。
【００４９】
上記した第３の実施の形態によると、操作パネル５０に表示される印刷ジョブキュー１００を直接ユーザの指で選択することによって、選択された複数の印刷ジョブを優先処理としてまとめて出力させることができる。
【００５０】
なお、印刷ジョブキュー１００をホストコンピュータ３の操作画面（図示せず）上に表示し、この操作画面に対してユーザがマウスやキーボード等の入力部を操作することによって上記した優先処理を行うようにしても良い。
【００５１】
図８は、第４の実施の形態に係る印刷装置４の優先処理を行う他の手順を示す図である。
【００５２】
図８（ａ）は、操作パネル５０に優先度の低い印刷ジョブが蓄積された状態を表示する印刷ジョブキューの例である。優先度の低い印刷ジョブが蓄積された状態は、図７（ａ）と同じである。
【００５３】
図８（ａ）のように、出力したい印刷ジョブ名をユーザの指で選択すると、図８（ｂ）のように、選択された印刷ジョブの詳細表示画像２００が表示される。詳細表示画像２００には、印刷ジョブ名２１１およびユーザ名２１２等からなる印刷ジョブの属性情報２０１と優先処理ボタン２０２およびキャンセルボタン２０３が設けられる。
【００５４】
詳細表示画像２００の優先処理ボタン２０２を押下すると、図８（ｃ）のように、選択した印刷ジョブの表示が反転して、印刷ジョブの状態が「処理待ち」から「優先処理」に変わり、「優先処理」になった印刷ジョブは印刷ジョブキューの先頭に移動して、ステップ４０４で優先処理の指定を受け付けて、ステップ４１１およびステップ４１２で優先指定された印刷ジョブが印刷される。また、詳細表示画像２００のボタンを押下せずに一定時間が経過すると、キャンセルボタン２０３を押下したのと同様に印刷ジョブは優先処理されない。
【００５５】
上記した第４の実施の形態によると、第３の実施の形態の好ましい効果に加えて印刷ジョブの属性情報２０１を見て優先処理を行うか否かを決定することができる。
【００５６】
図９は、第５の実施の形態に係る印刷装置４の優先処理を行う他の手順を示す図である。
【００５７】
図９（ａ）は、操作パネル５０に優先度の低い印刷ジョブが蓄積された状態を表示する印刷ジョブキューの例である。優先度の低い印刷ジョブが蓄積された状態は、図７（ａ）と同じである。
【００５８】
図９（ａ）のように、出力したい印刷ジョブ名をユーザの指で選択すると、図９（ｂ）のように、選択された印刷ジョブの詳細表示画像３００が表示される。詳細表示画像３００には、印刷ジョブ名２１１およびユーザ名２１２等からなる印刷ジョブの属性情報２０１とすべて優先ボタン２０４、優先処理ボタン２０２およびキャンセルボタン２０３が設けられる。
【００５９】
詳細表示画像３００のすべて優先ボタン２０４を押下すると、図９（ｃ）のように、ユーザ名２１２のユーザ名称と同一のユーザ名称を持つ印刷ジョブのすべての表示が反転して、印刷ジョブの状態が「処理待ち」から「優先処理」に変わり、「優先処理」になった印刷ジョブは、すべて印刷ジョブキューの先頭に移動して、ステップ４０４で優先処理の指定を受け付けて、ステップ４１１およびステップ４１２で優先指定された印刷ジョブがまとめて印刷される。詳細表示画像３００のボタンを押下せずに一定時間が経過すると、キャンセルボタン２０３を押下したのと同様に印刷ジョブは優先処理されない。
【００６０】
上記した第５の実施の形態によると、同じユーザの印刷ジョブをまとめて優先処理させて出力することができるので、ユーザの操作を少なくすることができる。
【００６１】
【発明の効果】
以上説明した通り、本発明の印刷装置によると、印刷部の節電モード中に受信した印刷ジョブのデータを処理して印刷データを生成し、節電モードの解除に基づいて印刷データ生成部に格納されている印刷データを印刷させるようにしたため、長い節電時間が確保できるだけでなく、必要な印刷物を必要とするときにまとめて得ることができる。
【図面の簡単な説明】
【図１】本発明の第１の実施の形態に係る印刷装置がネットワークを介して接続された印刷システムの構成図である。
【図２】ネットワークに接続された印刷装置のブロック構成図である。
【図３】操作パネルを示す図である。
【図４】第１の実施の形態に係る印刷装置の概略構成図である。
【図５】第１の実施の形態に係る印刷装置の動作を示すフローチャートである。
【図６】第２の実施の形態に係る印刷装置の動作を示すフローチャートである。
【図７】（ａ）〜（ｄ）は、第３の実施の形態に係る印刷装置の優先処理を行う手順を示す図である。
【図８】（ａ）〜（ｃ）は、第４の実施の形態に係る印刷装置の優先処理を行う他の手順を示す図である。
【図９】（ａ）〜（ｃ）は、第５の実施の形態に係る印刷装置の優先処理を行う他の手順を示す図である。
【符号の説明】
１、印刷システム  ２、ネットワーク  ３、ホストコンピュータ
４、印刷装置  １０、制御部  １１、ＣＰＵ  １３、ＲＯＭ
１５、ＲＡＭ  １６、ページメモリ  １７、ＨＤ  ２１、ジョブ受信部
２２、画像処理部  ２３、デコンポーザ  ２４、スプーリング部
２５、スケジュール部  ２６、タイマ  ２７、プリンタ制御部
２８、節電制御部  ２９、ビデオ装置  ３０、送受信部
３１、パネル制御部  ４０、ＩＯＴ部  ５０、操作パネル
６１、感光体ドラム  ６２、帯電器  ６３、レーザー走査光学系
６４、現像装置  ６５、転写装置  ６６、用紙分離装置
６７、クリーニング装置  ６８、除電器  ８１、給紙搬送装置
８２、給紙ローラ  ８３、タイミングローラ  ８４、搬送ベルト
８５、定着器  ８６、ヒータ  ８７、温度センサ  ８８、排出ロ−ラ
８９、排出トレイ  １００、印刷ジョブキュー  ２００、詳細情報画像
２０１、印刷ジョブの属性情報  ２０２、優先処理ボタン
２０３、キャンセルボタン  ２０４、すべて優先ボタン
２１１、ジョブ名  ２１２、ユーザ名  ３００、詳細情報画像
【図１】
2004284281.tif 000003
【図２】
2004284281.tif 000004
【図３】
2004284281.tif 000005
【図４】
2004284281.tif 000006
【図５】
2004284281.tif 000007
【図６】
2004284281.tif 000008
【図７】
2004284281.tif 000009
【図８】
2004284281.tif 000010
【図９】
2004284281.tif 000011